(57)【要約】【課題】  集合玄関機を直接操作しない帰宅者に対しても、着荷があることを認識させ易い集合住宅インターホンシステムを提供する。【解決手段】  エントランスドア５を解錠するために居住者が携行している無線キー７の解錠信号を受信し、受信した解錠信号が登録されている信号と一致していたら制御機４にエントランスドア５の解錠指示を出す解錠制御手段８を有する一方、集合玄関機１には所定の報知動作を行う外部報知手段９が接続され、制御機４は着荷情報を記憶する着荷情報記憶部４２を有して、解錠キー７により解錠操作されたら着荷情報記憶部４２から解錠キー７に関連付けられている住戸への着荷の有無を読み取り、着荷があったら集合玄関機１に着荷有りを通知して、外部報知手段９を報知動作させる。【選択図】  図１
2019193015.tif 000002
【特許請求の範囲】
【請求項１】
来訪者が居住者を呼び出すための集合玄関機と、前記集合玄関機からの呼び出しに応答するための複数の居室親機と、前記集合玄関機と前記居室親機の間の通信を制御する制御機と、前記居室親機の操作により前記制御機を介して解錠が可能なエントランスドアと、宅配物を収容したら前記制御機を介して宛先の前記居室親機に着荷情報を送信可能な宅配ロッカーと、を有する集合住宅インターホンシステムであって、
前記制御機には、前記エントランスドアを解錠するために居住者が携行している無線解錠手段の解錠信号を受信し、受信した解錠信号が登録されている信号と一致していたら前記制御機に前記エントランスドアの解錠指示を出す解錠制御手段が接続されていると共に、
前記集合玄関機には所定の報知動作を行う外部報知手段が接続され、
前記制御機は、前記着荷情報を記憶する着荷情報記憶部を有して、前記無線解錠手段により解錠指示を受けたら、前記着荷情報記憶部から解錠指示した前記無線解錠手段に関連付けられている住戸への着荷の有無を読み取り、着荷があったら前記集合玄関機に着荷有りを通知して、前記外部報知手段を報知動作させることを特徴とする集合住宅インターホンシステム。
【請求項２】
前記集合玄関機は、前記制御機から前記外部報知手段の報知動作の指示を受けたら、一定の時間が経過した後に前記外部報知手段を報知動作させる遅延報知を実施することを特徴とする請求項１記載の集合住宅インターホンシステム。
【請求項３】
前記外部報知手段は、前記集合玄関機に有線接続されて無線信号を出力する無線送信部と、前記無線信号を受信して報知動作する報知装置とを有し、
前記報知装置は、前記エントランスドアの内側に配置されてなることを特徴とする請求項１又は２記載の集合住宅インターホンシステム。
【請求項４】
前記外部報知手段を報知動作させる信号が、前記集合玄関機が出力する接点信号であることを特徴とする請求項１乃至３の何れかに記載の集合住宅インターホンシステム。
【発明の詳細な説明】
【技術分野】
【０００１】
本発明は集合住宅インターホンシステムに関し、特に宅配ロッカーを備えて宅配物が収容された際に、その着荷情報を配達先の居室親機等へ通知する機能を備えた集合住宅インターホンシステムに関する。
【背景技術】
【０００２】
従来より、集合住宅インターホンシステムに宅配ロッカーの情報が通知されて、宅配ロッカーに配達された荷物が収容されたら、宛先である住戸の居室親機に着荷があることを通知して居住者に知らせる集合住宅インターホンシステムがある（例えば、特許文献１参照）。
【先行技術文献】
【特許文献】
【０００３】
【特許文献１】特開２０１５−１８５９８２号公報
【発明の概要】
【発明が解決しようとする課題】
【０００４】
上記特許文献１の集合住宅インターホンシステムでは、宅配ロッカーに収容された荷物の宛先となっている居住者が帰宅したら、集合玄関機からも着荷があることを通知するよう構成されている。
しかしながら、帰宅時に集合玄関機を操作せず、無線キーによりエントランスドアを解錠して自住戸へ向かうことが可能な集合住宅では、集合玄関機に着荷の表示或いはアナウンスがあっても、帰宅者はそれに気づき難かった。また、居室親機での通知は、着荷の直後は報音等の通知動作を実施しても、その後は着荷の確認操作を行わなければ通知動作しない。
そのため、何日も宅配物が取り出されず、荷物が宅配ロッカーに滞留する問題が発生した。宅配ロッカーは宅配物を収容するロッカーの数が限られているため、収容された荷物は順次取り出されないと、宅配ロッカーが一杯となり新たな宅配物を収容できず、宅配業者が再配達する事態を招いてしまう場合も発生した。
【０００５】
そこで、本発明はこのような問題点に鑑み、集合玄関機を直接操作しない帰宅者に対しても、着荷があることを認識させ易い集合住宅インターホンシステムを提供することを目的としている。
【課題を解決するための手段】
【０００６】
上記課題を解決する為に、請求項１の発明は、来訪者が居住者を呼び出すための集合玄関機と、集合玄関機からの呼び出しに応答するための複数の居室親機と、集合玄関機と居室親機の間の通信を制御する制御機と、居室親機の操作により制御機を介して解錠が可能なエントランスドアと、宅配物を収容したら制御機を介して宛先の居室親機に着荷情報を送信可能な宅配ロッカーとを有する集合住宅インターホンシステムであって、制御機には、エントランスドアを解錠するために居住者が携行している無線解錠手段の解錠信号を受信し、受信した解錠信号が登録されている信号と一致していたら制御機にエントランスドアの解錠指示を出す解錠制御手段が接続されていると共に、集合玄関機には所定の報知動作を行う外部報知手段が接続され、制御機は、着荷情報を記憶する着荷情報記憶部を有して、無線解錠手段により解錠指示を受けたら、着荷情報記憶部から解錠指示した無線解錠手段に関連付けられている住戸への着荷の有無を読み取り、着荷があったら集合玄関機に着荷有りを通知して、外部報知手段を報知動作させることを特徴とする。
この構成によれば、無線解錠手段を使用してエントランスドアの解錠操作をした帰宅者に対して着荷がある場合は、外部報知手段がそれを通知する動作を実施するため、例えば外部報知手段を帰宅者が通るエントランスドアの内側に設置すれば、集合玄関機を操作しない帰宅者に対して着荷の存在を認識させる機会が増し、宅配ロッカー内の荷物が滞留するのを削減することが可能となる。
【０００７】
請求項２の発明は、請求項１に記載の構成において、集合玄関機は、制御機から外部報知手段の報知動作の指示を受けたら、一定の時間が経過した後に外部報知手段を報知動作させる遅延報知を実施することを特徴とする。
この構成によれば、外部報知手段は一定時間遅らせて報知操作する遅延報知動作するため、例えばエントランスドアの内側等の帰宅者が認識し易い場所に設置しても、帰宅者が近づいてきたタイミングで報知させることができる。よって、見逃したり聞き逃したりする問題を削減できる。
【０００８】
請求項３の発明は、請求項１又は２に記載の構成において、外部報知手段は、集合玄関機に有線接続されて無線信号を出力する無線送信部と、無線信号を受信して報知動作する報知装置とを有し、報知装置はエントランスドアの内側に配置されてなることを特徴とする。
この構成によれば、外部報知手段が集合玄関機に接続される機器であっても、報知装置は無線信号を受けて報知動作するため配線を考慮する必要が無い。そのため、集合玄関機が設置されたエントランスと壁を隔てたエントランスドアの内側であっても容易に設置できる。
【０００９】
請求項４の発明は、請求項１乃至３の何れかに記載の構成において、外部報知手段を報知動作させる信号が、集合玄関機が出力する接点信号であることを特徴とする。
この構成によれば、集合玄関機から外部報知手段に出力される信号は接点信号であるため、外部報知手段に信号を出力する集合玄関機の信号出力部は単純な回路で済む。
【発明の効果】
【００１０】
本発明によれば、無線解錠手段を使用してエントランスドアの解錠操作をした帰宅者に対して着荷がある場合は、外部報知手段がそれを通知する動作を実施するため、例えば外部報知手段をエントランスドアの内側に設置すれば、集合玄関機を操作しない帰宅者に対して着荷の存在を認識させる機会が増し、宅配ロッカー内の荷物が滞留するのを削減することが可能となる。
【図面の簡単な説明】
【００１１】
【図１】本発明に係る集合住宅インターホンシステムの一例を示す構成図である。
【図２】集合玄関機の機能ブロック図である。
【図３】制御機の機能ブロック図である。
【発明を実施するための形態】
【００１２】
以下、本発明を具体化した実施の形態を、図面を参照して詳細に説明する。図１は本発明に係る集合住宅インターホンシステムの一例を示す構成図であり、１は来訪者が住戸を選択して居住者を呼び出すための集合玄関機、２は集合玄関機１からの呼び出しに応答するための居室親機、３は管理室に設置されて居住者等と通話するための管理室親機、４は集合玄関機１と居室親機２の間等の機器間の通信を制御する制御機、５は集合住宅のエントランスに設置されて不審者が居住エリアへ侵入するのを防ぐ電気錠５ａを備えたエントランスドア、６は不在宅への宅配物が収容される宅配ロッカーである。
【００１３】
また、７は集合玄関機１を操作することなくエントランスドア５を解錠するために居住者が携行する無線キー、８ａは無線キー７が発信する信号（解錠信号）を受信する受信器、８ｂは受信器８ａが受信した信号が登録された正しい信号であるか判定し、正しい場合は解錠指示信号を制御機４に対して出力するキーコントローラ、９ａは所定の報知動作を実施する報知装置、９ｂは報知装置９ａを動作させる動作信号を報知装置９ａに対して無線送信する無線送信機である。
尚、受信器８ａとキーコントローラ８ｂとで解錠制御手段８を構成し、報知装置９ａと無線送信機９ｂとで外部報知手段９を構成している。
【００１４】
集合玄関機１は伝送線Ｌ１を介して制御機４に接続され、居室親機２は親機幹線Ｌ２を介して制御機４に接続され、更に管理室親機３は伝送線Ｌ３を介して制御機４に接続されている。また、エントランスドア５の電気錠５ａは伝送線Ｌ５を介して制御機４に接続され、宅配ロッカー６は伝送線Ｌ６を介して制御機４に接続されている。
更に、キーコントローラ８ｂは伝送線Ｌ７を介して制御機４に接続され、無線送信機９ｂは伝送線Ｌ８を介して集合玄関機１に接続されている。尚、受信器８ａとキーコントローラ８ｂとは信号線で接続されている。
【００１５】
図２は集合玄関機１の機能ブロック図を示している。集合玄関機１は図２に示すように、住戸を選択して訪問先の居住者の呼出操作を行う操作部１１、マイク１２ａ及びスピーカ１２ｂを備えた通話部１２、入力した住戸番号情報や来訪者や帰宅者へのメッセージを表示する表示部１３、来訪者を撮像するカメラ１４、接点信号を出力する接点信号出力部１５、集合玄関機１を制御する集合玄関機ＣＰＵ１６、制御機４と通信する制御機用通信ＩＦ１７等を有している。
【００１６】
居室親機２及び管理室親機３は、通話部２１，３１、集合玄関機１のカメラ１４の撮像映像の表示や各種情報を表示する表示部２２，３２、応答操作や設定操作を行う操作部２３，３３等を備えている。
【００１７】
宅配ロッカー６は、宅配物を収容する複数のロッカー６ａを備え、収容した宅配物情報を配達先の住戸に通知するための宛先を入力するための操作部６１、及び入力された宛先等の情報を制御機４に通知する宅配制御部６２とを備えている。操作部６１は、宅配物が収容されると宅配業者により操作され、宅配物の収容ロッカー情報と配達先の住戸番号等が入力される。
【００１８】
キーコントローラ８ｂは、居住者が携行する無線キー７が発信する解錠信号としてのＩＤ信号と住戸の関係を記憶するキー情報テーブル記憶部８１を有し、受信器８ａが受信したＩＤ信号がキー情報テーブル記憶部８１に登録されている信号であれば解錠指示信号を制御機４に対して出力する。また、その際に、ＩＤ信号に関連付けられている住戸情報も合わせて送信する。
【００１９】
報知装置９ａは、エントランスドア５を入った居住エリア側で、エントランスドア５の近くに設置されている。そして、メッセージを報音するスピーカを備えると共に、アナウンスするメッセージを記憶し、無線送信機９ｂから動作信号が送信されたらメッセージを報音する。
また、無線送信機９ｂは集合玄関機１の接点信号出力部１５に接続され、接点信号を受けて動作信号を無線発信する。
【００２０】
図３は制御機４の機能ブロック図を示している。制御機４は、図３に示すように、住戸番号と居室親機２の関係等を記憶する記憶部４１、宅配ロッカー６の着荷情報を記憶する着荷情報記憶部４２、集合玄関機１と通信する集合玄関機用通信ＩＦ４３、居室親機２と通信する居室親機用通信ＩＦ４４、管理室親機３と通信する管理室親機用通信ＩＦ４５、エントランスドア５の電気錠５ａの解錠／施錠を制御するエントランスドア用通信ＩＦ４６、宅配ロッカー６と通信する宅配ロッカー用通信ＩＦ４７、キーコントローラ８ｂと通信するキーコントローラ用通信ＩＦ４８、制御機４を制御する制御機ＣＰＵ４９等を備えている。
【００２１】
上記の如く構成された集合住宅インターホンシステムの動作は以下の様である。但し、集合玄関機１を操作して居住者を呼び出す動作、居室親機２から呼び出しに応答する動作、呼出操作によりカメラ１４が起動して居室親機２で表示される動作等は従来と同様であるため説明を省略し、ここでは帰宅者が集合玄関機１を操作せずに、無線キー７を使用してエントランスドア５を解錠して居住エリアに進む動作を中心に説明する。特に、このとき帰宅者に対して宅配物の着荷がある場合の動作を説明する。
【００２２】
帰宅した居住者が、エントランスドアを解錠するために携帯している無線キー７を受信器８ａの近くで操作すると、無線キー７から無線キー７のＩＤ信号が解錠信号として発信され、受信器８ａがそれを受信する。受信した信号は、キーコントローラ８ｂに送信される。
キーコントローラ８ｂでは、受信した解錠信号が登録されているＩＤ信号であるか判別し、登録されているＩＤ信号であると判定したら、ＩＤ信号に関連付けられている住戸番号情報を添付した解錠指示信号を制御機４に送信する。
【００２３】
解錠指示信号を受信した制御機４では、制御機ＣＰＵ４９の制御により、まず添付されている住戸番号から、着荷情報記憶部４２を参照して住戸番号に関連付けられている着荷情報がないか読み取り、着荷情報がある場合はエントランスドア５の解錠制御と共に、集合玄関機１に対して着荷通知信号を送信して着荷通知を実施するよう指示する。
【００２４】
ここで、着荷情報が制御機４に登録されるまでの流れを説明する。上述したように、宅配業者により、不在の住戸に対して届けられた宅配物は宅配ロッカー６に収容され、操作部６１からロッカーの番号と宛先の住戸番号が入力される。
こうして入力された情報は、宅配制御部６２により着荷情報として制御機４に送信され、着荷情報を受信した制御機４は、この着荷情報を着荷情報記憶部４２に保存すると共に、宛先住戸の居室親機２に宅配物があることを知らせる着荷通知を実施する。この着荷通知を受信した居室親機２は、宅配物がある旨の表示を実施する。
【００２５】
尚、この通知を受けた居室親機２の表示により着荷を認識した在室の居住者が、宅配ロッカー６から荷物を取り出したら、その信号が宅配ロッカー６から制御機４に送信されて、着荷情報記憶部４２から取り出した荷物に関する着荷情報は削除される。
【００２６】
こうして、制御機４に着荷情報が登録されている住戸の居住者が帰宅し、無線キー７を使用してエントランスドア５が解錠されると、制御機４から送信された着荷通知信号を受けた集合玄関機１は、集合玄関機ＣＰＵ１６の制御により以下の様に動作する。
着荷がある旨を表示部１３に表示或いはアナウンスを実施する。また、接点信号出力部１５から接点信号が出力される。但し、接点信号は、着荷通知信号を受信してから一定時間の経過を待ち、遅延出力される。
この一定時間は、解錠されて開いたエントランスドア５を、帰宅者が通過して報知装置９ａの前を通過する時間を見計らって例えば５秒で設定されている。
【００２７】
遅延出力された接点信号は無線送信機９ｂが受信し、報知装置９ａに対して動作信号を無線送信する。この動作信号を受信した報知装置９ａは所定の報知動作を開始する。例えば、予め保存されているメッセージ「荷物が届いています」が数回繰り返して報音される。
【００２８】
尚、無線キー７を使用せずに、集合玄関機１を操作してエントランスドア５を解錠する場合は、集合玄関機１において着荷がある旨が表示或いはアナウンスされるため、着荷があることを認識できる。
【００２９】
このように、無線キー７を使用してエントランスドア５の解錠操作をした帰宅者に対して着荷がある場合は、エントランスドア５の内側に設置した報知装置９ａがそれを通知する動作を実施するため、集合玄関機１を操作しない帰宅者に対して着荷の存在を認識させる機会が増し、宅配ロッカー６内の荷物が滞留するのを削減することが可能となる。
また、エントランスドア５が解錠された時点から、一定時間が経過したら報知装置９ａが報知動作するため、報知装置９ａの報知部を例えばエントランスドア５の内側の帰宅者が認識し易い場所に設置しても、帰宅者が近づいてきたタイミングで報知させることができ、見逃したり聞き逃したりする問題を解消できる。
更に、報知装置９ａは、無線信号により報知動作するため配線を考慮する必要が無く、任意の場所に容易に設置できる。よって、帰宅者に報知動作を認識させやすい場所である集合玄関機１とは壁を隔てたエントランスドア５の内側であっても容易に設置できる。
加えて、集合玄関機１から無線送信機９ｂに出力される信号は接点信号であるため、集合玄関機１の信号出力部は単純な回路で済む。
【００３０】
尚、報知装置９ａの通知動作は、アナウンスでなく単純なブザー音であっても良いし、更に発光表示部を備えても良く、帰宅した居住者に対して着荷を通知できれば良い。
また、受信器８ａとキーコントローラ８ｂは一体であっても良いし、無線送信機９ｂと報知装置９ａも一体であっても良い。
更に、居住者が携行する無線キー７は、ＲＦＩＤを利用したカードキーであっても良いし、磁気カードから成るキーであっても良い。
【符号の説明】
【００３１】
１・・集合玄関機、２・・居室親機、５・・エントランスドア、６・・宅配ロッカー、７・・無線キー（無線解錠手段）、８・・解錠制御手段、８ａ・・受信器、８ｂ・・キーコントローラ、９・・外部報知手段、９ａ・・報知装置、９ｂ・・無線送信機（無線送信部）、１５・・接点信号出力部、４２・・着荷情報記憶部。
【図１】
2019193015.tif 000003
【図２】
2019193015.tif 000004
【図３】
2019193015.tif 000005